(57)【要約】【課題】１枚の画像データに対して、画像処理パラメータを等間隔で切り替えて、画像処理の異なる複数毎の画像を生成する画像処理装置および画像処理装置の制御方法を提供する。【解決手段】ユーザは幾つかある画像処理ブロックの中で、どの画像処理の画像処理パラメータを変更するかと、何枚の画像を生成するかを選択する。撮影シーンやＩＳＯ感度情報から、画像処理パラメータ値の変更範囲を決定する。画像処理ブロックにて決定した画像処理パラメータ変更範囲と画像生成枚数から、１枚ごとに画像処理パラメータを等間隔ステップで変更して設定し、設定された画像処理パラメータで画像処理を実行し、画像生成枚数まで画像処理パラメータを変更しながら画像処理を繰り返し、生成した画像はＳＤＲＡＭ又は記録メディア、内蔵メモリに一時的なファイルとして保存する。【選択図】図９
2008109305.tif 000002
【特許請求の範囲】
【請求項１】
１枚の画像データに対して、画像処理パラメータを等間隔で切り替える切替手段と、
前記切替手段により切り替えた等間隔の画像処理パラメータで処理したそれぞれの異なる画像を生成する画像生成手段とを有することを特徴とする画像処理装置。
【請求項２】
前記画像生成手段によって得られた、異なる複数の画像処理ブロックの中からユーザにより、少なくとも１枚を任意に選択される画像処理ブロック選択手段と、
前記画像処理ブロック選択手段でユーザにより選択された画像処理ブロックの画像処理パラメータを変更する変更手段とを有することを特徴とする請求項１に記載の画像処理装置。
【請求項３】
前記変更手段により変更する前記画像処理パラメータの変更範囲を、撮影シーンに応じて設定する設定手段を有することを特徴とする請求項２に記載の画像処理装置。
【請求項４】
前記設定手段は、前記画像処理パラメータの変更範囲を、撮影時のＩＳＯ感度に応じて設定することを特徴とする請求項３に記載の画像処理装置。
【請求項５】
前記変更手段により前記画像処理パラメータを変更し、作成された複数枚の画像の中から、ユーザにより、任意の１枚の画像を選択する画像選択手段と、
前記画像選択手段により選択された画像のみを記憶する選択画像記憶手段とを有することを特徴とする請求項２に記載の画像処理装置。
【請求項６】
前記変更手段により前記画像処理パラメータを変更し、作成された複数枚の画像を水平または垂直方向に並べて１枚の画像として作成する作成手段を有することを特徴とする請求項２に記載の画像処理装置。
【請求項７】
前記作成手段により、複数枚の画像を１枚の画像として作成した各画像の、それぞれの１枚を拡大して確認する手段を有することを特徴とする請求項６に記載の画像処理装置。
【請求項８】
前記画像選択手段により前記ユーザが選択した画像の画像処理パラメータを記憶する画像処理パラメータ記憶手段を有することを特徴とする請求項５に記載の画像処理装置。
【請求項９】
前記画像選択手段により前記ユーザが選択した画像の画像処理パラメータの統計をとる統計手段と、
前記統計手段で統計された結果に基づいて、選択された画像処理パラメータの頻度が高いものを優先的に使用する優先使用手段とを有することを特徴とする請求項５に記載の画像処理装置。
【請求項１０】
前記統計手段は、撮影シーンに応じて前記画像処理パラメータの統計をとることを特徴とする請求項９に記載の画像処理装置。
【請求項１１】
前記統計手段は、撮影時のＩＳＯ感度に応じて前記画像処理パラメータの統計をとることを特徴とする請求項９に記載の画像処理装置。
【請求項１２】
前記統計手段は、ユーザ毎に統計をとることを特徴とする請求項９に記載の画像処理装置。
【請求項１３】
１枚の画像データに対して、画像処理パラメータを等間隔で切り替える切替工程と、
前記切替工程により切り替えた等間隔の画像処理パラメータで処理したそれぞれの異なる画像を生成する画像生成工程とを有することを特徴とする画像処理装置の制御方法。
【請求項１４】
前記画像生成工程によって得られた、異なる複数の画像処理ブロックの中からユーザにより、少なくとも１枚を任意に選択される画像処理ブロック選択工程と、
前記画像処理ブロック選択工程でユーザにより選択された画像処理ブロックの画像処理パラメータを変更する変更工程とを有することを特徴とする請求項１３に記載の画像処理装置の制御方法。
【請求項１５】
前記変更工程により変更する前記画像処理パラメータの変更範囲を、撮影シーンに応じて決定することを特徴とする請求項１４に記載の画像処理装置の制御方法。
【請求項１６】
前記変更工程により変更する前記画像処理パラメータの変更範囲を、撮影時のＩＳＯ感度に応じて決定することを特徴とする請求項１４に記載の画像処理装置の制御方法。
【請求項１７】
前記変更工程により前記画像処理パラメータを変更し、作成された複数枚の画像の中から、ユーザにより、任意の１枚の画像が選択される画像選択工程と、
前記画像選択工程により選択された画像のみを記憶する選択画像記憶工程とを有することを特徴とする請求項１４に記載の画像処理装置の制御方法。
【請求項１８】
前記変更工程により前記画像処理パラメータを変更し、作成された複数枚の画像を水平または垂直方向に並べて１枚の画像として作成する作成工程を有することを特徴とする請求項１４に記載の画像処理装置の制御方法。
【請求項１９】
前記作成工程により、複数枚の画像を１枚の画像として作成した各画像の、それぞれの１枚を拡大して確認することが可能であることを特徴とする請求項１８に記載の画像処理装置の制御方法。
【請求項２０】
前記画像選択工程により前記ユーザが選択した画像の画像処理パラメータを記憶する画像処理パラメータ記憶工程を有することを特徴とする請求項１７に記載の画像処理装置の制御方法。
【請求項２１】
前記画像選択工程により前記ユーザが選択した画像の画像処理パラメータの統計をとる統計工程と、
前記統計工程で統計された結果に基づいて、選択された画像処理パラメータの頻度が高いものを優先的に使用する優先使用工程とを有することを特徴とする請求項１７に記載の画像処理装置の制御方法。
【請求項２２】
前記統計工程は、撮影シーンに応じて前記画像処理パラメータの統計をとることを特徴とする請求項２１に記載の画像処理装置の制御方法。
【請求項２３】
前記統計工程は、撮影時のＩＳＯ感度に応じて前記画像処理パラメータの統計をとることを特徴とする請求項２１に記載の画像処理装置の制御方法。
【請求項２４】
前記統計工程は、ユーザ毎に統計をとることを特徴とする請求項２１に記載の画像処理装置の制御方法。
【発明の詳細な説明】
【技術分野】
【０００１】
本発明は、撮像装置の電子画像を画像処理する画像処理装置および画像処理装置の制御方法に関する。
【背景技術】
【０００２】
近年、デジタルカメラなどの撮像装置で撮像した電子画像をコンピュータに回線を介してネットワーク接続されているスキャナ装置、デジタル複写機等の画像処理装置を利用して画像処理、画像生成等を行うケースがある。例えば、撮像装置のみで画像を処理するのでは、容量が大きい画像を処理しきれない場合である。撮像装置で撮像した画像を、別の画像処理装置によって処理する場合、ユーザは希望する画質を得たい場合、コンピュータからその画質にあった画像処理装置に対して、画像入出力や画像編集などの処理を行なう。
【０００３】
ユーザが使用するコンピュータのアプリケーションから要求するような画質を得るためには、入出力機器や蓄積画像の特性に合わせた詳細な画像処理制御が必要であり、システム構造が複雑化してしまっている傾向にある。
【０００４】
この傾向を防止するために、各々の画像処理装置の特性を生かし、各々の画像処理装置の高性能化、高精度化の要求が高まっており、それぞれに対応した画像処理パラメータで画像処理する装置が開発されてきた。次にその開示例を挙げる。
【０００５】
特許文献１では、原画像に対して複数の画像処理パラメータで画像を生成し、その画像の縮小画像の作成および表示を行い、縮小画像から１枚だけ利用者に選択させて最適の画像処理を見つける方法が開示されている。種類の異なるそれぞれの画像処理項目に対して効率よく画像処理パラメータを決定できるように考慮されている。
【０００６】
特許文献２では、複数の画像入力手段に対して画像入力特性情報を取り出し、保持している入力特性情報とユーザが希望する画質情報に基づいて、画像入力手段から入力される画像データに対して画像処理制御パラメータを設定するという方法が提案されている。
【特許文献１】特開２００５−２５８５７８号公報
【特許文献２】特開２００１−１９７３１５号公報
【発明の開示】
【発明が解決しようとする課題】
【０００７】
しかし特許文献１では、作成したフルサイズの画像と縮小画像の両方を保持しており、パソコンなど大量のメモリ容量を持つ画像処理装置では効果的であるが、デジタルカメラなどメモリ容量が限られる機器では実施が不可能である。
【０００８】
また、近年、ＣＣＤから出力されたままで画像処理を行っていない画像データ（以下、ＲＡＷデータ）を出力するデジタルカメラが多く出現している。ＲＡＷデータは、ユーザが任意に階調特性、色調、エッジ強調などを変更することができ、ユーザの趣向に応じた画像を得ることができるという利点がある。
【０００９】
一方でＲＡＷデータはデータサイズが大きく、撮影したカメラでは現像できない場合も多く、パソコンなどに一旦取り込んでパソコン上のソフトウエアで現像するのが一般的であり、撮影したその場で画像編集ができないだけでなく、パソコンを所有していないと画像を見ることができない。また、撮影したカメラで現像できたとしても、カメラ上では予め設定された画像処理パラメータで画像処理を行うのみであり、画像処理パラメータをユーザが変更することができずＲＡＷデータの利点を生かせていないという問題がある。
【００１０】
また、ＲＡＷデータ出力以外の画像出力においてもユーザが変更できる画像処理は、エッジ強調ならば『強い』、『普通』、『弱い』など選択肢が狭く、これらの設定もカメラメーカーが良いと考えた設定であってユーザにとっては好ましい設定であるとは言えない。
【００１１】
そこで本発明は、１枚の画像データに対して、画像処理パラメータを等間隔で切り替えて、画像処理の異なる複数毎の画像を生成する画像処理装置および画像処理装置の制御方法を提供することを目的とする。
【課題を解決するための手段】
【００１２】
上記の目的を達成するため、請求項１に記載の発明は、１枚の画像データに対して、画像処理パラメータを等間隔で切り替える切替手段と、前記切替手段により切り替えた等間隔の画像処理パラメータで処理したそれぞれの異なる画像を生成する画像生成手段とを有する画像処理装置であることを特徴とする。
【００１３】
請求項２に記載の発明は、請求項１に記載の画像処理装置において、前記画像生成手段によって得られた、異なる複数の画像処理ブロックの中からユーザにより、少なくとも１枚を任意に選択される画像処理ブロック選択手段と、前記画像処理ブロック選択手段でユーザにより選択された画像処理ブロックの画像処理パラメータを変更する変更手段とを有することを特徴とする。
【００１４】
請求項３に記載の発明は、請求項２に記載の画像処理装置において、前記変更手段により変更する前記画像処理パラメータの変更範囲を、撮影シーンに応じて設定する設定手段を有することを特徴とする。
【００１５】
請求項４に記載の発明は、請求項３に記載の画像処理装置において、前記設定手段は、前記画像処理パラメータの変更範囲を、撮影時のＩＳＯ感度に応じて設定することを特徴とする。
【００１６】
請求項５に記載の発明は、請求項２に記載の画像処理装置において、前記変更手段により前記画像処理パラメータを変更し、作成された複数枚の画像の中から、ユーザにより、任意の１枚の画像を選択する画像選択手段と、前記画像選択手段により選択された画像のみを記憶する選択画像記憶手段とを有することを特徴とする。
【００１７】
請求項６に記載の発明は、請求項２に記載の画像処理装置において、前記変更手段により前記画像処理パラメータを変更し、作成された複数枚の画像を水平または垂直方向に並べて１枚の画像として作成する作成手段を有することを特徴とする。
【００１８】
請求項７に記載の発明は、請求項６に記載の画像処理装置において、前記作成手段により、複数枚の画像を１枚の画像として作成した各画像の、それぞれの１枚を拡大して確認する手段を有することを特徴とする。
【００１９】
請求項８に記載の発明は、請求項５に記載の画像処理装置において、前記画像選択手段により前記ユーザが選択した画像の画像処理パラメータを記憶する画像処理パラメータ記憶手段を有することを特徴とする。
【００２０】
請求項９に記載の発明は、請求項５に記載の画像処理装置において、前記画像選択手段により前記ユーザが選択した画像の画像処理パラメータの統計をとる統計手段と、前記統計手段で統計された結果に基づいて、選択された画像処理パラメータの頻度が高いものを優先的に使用する優先使用手段とを有することを特徴とする。
【００２１】
請求項１０に記載の発明は、請求項９に記載の画像処理装置において、前記統計手段は、撮影シーンに応じて前記画像処理パラメータの統計をとることを特徴とする。
【００２２】
請求項１１に記載の発明は、請求項９に記載の画像処理装置において、前記統計手段は、撮影時のＩＳＯ感度に応じて前記画像処理パラメータの統計をとることを特徴とする。
【００２３】
請求項１２に記載の発明は、請求項９に記載の画像処理装置において、前記統計手段は、ユーザ毎に統計をとることを特徴とする。
【００２４】
請求項１３に記載の発明は、１枚の画像データに対して、画像処理パラメータを等間隔で切り替える切替工程と、前記切替工程により切り替えた等間隔の画像処理パラメータで処理したそれぞれの異なる画像を生成する画像生成工程とを有する画像処理装置の制御方法であることを特徴とする。
【００２５】
請求項１４に記載の発明は、請求項１３に記載の画像処理装置の制御方法において、前記画像生成工程によって得られた、異なる複数の画像処理ブロックの中からユーザにより、少なくとも１枚を任意に選択される画像処理ブロック選択工程と、前記画像処理ブロック選択工程でユーザにより選択された画像処理ブロックの画像処理パラメータを変更する変更工程とを有することを特徴とする。
【００２６】
請求項１５に記載の発明は、請求項１４に記載の画像処理装置の制御方法において、前記変更工程により変更する前記画像処理パラメータの変更範囲を、撮影シーンに応じて決定することを特徴とする。
【００２７】
請求項１６に記載の発明は、請求項１４に記載の画像処理装置の制御方法において、前記変更工程により変更する前記画像処理パラメータの変更範囲を、撮影時のＩＳＯ感度に応じて決定することを特徴とする。
【００２８】
請求項１７に記載の発明は、請求項１４に記載の画像処理装置の制御方法において、前記変更工程により前記画像処理パラメータを変更し、作成された複数枚の画像の中から、ユーザにより、任意の１枚の画像が選択される画像選択工程と、前記画像選択工程により選択された画像のみを記憶する選択画像記憶工程とを有することを特徴とする。
【００２９】
請求項１８に記載の発明は、請求項１４に記載の画像処理装置の制御方法において、前記変更工程により前記画像処理パラメータを変更し、作成された複数枚の画像を水平または垂直方向に並べて１枚の画像として作成する作成工程を有することを特徴とする。
【００３０】
請求項１９に記載の発明は、請求項１８に記載の画像処理装置の制御方法において、前記作成工程により、複数枚の画像を１枚の画像として作成した各画像の、それぞれの１枚を拡大して確認することが可能であることを特徴とする。
【００３１】
請求項２０に記載の発明は、請求項１７に記載の画像処理装置の制御方法において、前記画像選択工程により前記ユーザが選択した画像の画像処理パラメータを記憶する画像処理パラメータ記憶工程を有することを特徴とする。
【００３２】
請求項２１に記載の発明は、請求項１７に記載の画像処理装置の制御方法において、前記画像選択工程により前記ユーザが選択した画像の画像処理パラメータの統計をとる統計工程と、前記統計工程で統計された結果に基づいて、選択された画像処理パラメータの頻度が高いものを優先的に使用する優先使用工程とを有することを特徴とする。
【００３３】
請求項２２に記載の発明は、請求項２１に記載の画像処理装置の制御方法において、前記統計工程は、撮影シーンに応じて前記画像処理パラメータの統計をとることを特徴とする。
【００３４】
請求項２３に記載の発明は、請求項２１に記載の画像処理装置の制御方法において、前記統計工程は、撮影時のＩＳＯ感度に応じて前記画像処理パラメータの統計をとることを特徴とする。
【００３５】
請求項２４に記載の発明は、請求項２１に記載の画像処理装置の制御方法において、前記統計工程は、ユーザ毎に統計をとることを特徴とする。
【発明の効果】
【００３６】
本発明によれば、ユーザがより多くの画像処理を変更し、ユーザ好みの画像を提供する画像処理装置および画像処理装置の制御方法を提供することが可能となる。
【発明を実施するための最良の形態】
【００３７】
以下、図面を参照して本発明の好適な実施形態について説明する。なお、本実施形態では、撮像装置としてデジタルカメラを使用するがこれに拘束されることはなく、容量の限界値が低いカメラ、大容量で使用できるカメラ等を問わない。
【００３８】
本実施形態のデジタルカメラについて図１、図２、図３を用いて説明する。図１は、本実施形態のデジタルカメラの斜視図を示す。図２は、本実施形態で使用するデジタルカメラの外観図であり、図３は、同デジタルカメラの制御系のブロック図である。
【００３９】
図２に示すように、デジタルカメラは、カメラ上面には、サブＬＣＤ１と、レリーズボタン２と、撮影／再生切り換えダイアル４とを有する。サブＬＣＤ１は、例えば、撮影可能枚数など表示するための表示部である。また、カメラ正面には、ストロボ発光部３と、測距ユニット５と、リモコン受光部６と、鏡胴ユニット７と、光学ファインダ（正面）１１とを有する。メモリカードスロットル１２１０は、メモリカード１２１１を挿入するスロットルであり、カメラ側面に設けてある。更に、カメラ裏面には、ＡＦＬＥＤ（オートフォーカスＬＥＤ）８と、ストロボＬＥＤ９と、ＬＣＤモニタ１０と、光学ファインダ（裏面）１１と、ズームボタン１２と、電源スイッチ１３と、操作部１４とを有する。
【００４０】
図１、図２、図３に基づいてデジタルカメラの動作を説明する。図１、図２、図３において、ストロボ発光部３、ストロボ回路１１４は、自然光などの光が足りない場合に光量を補う装置である。暗い場所や被写体が暗い場合の撮影においては、後述するデジタルスチルカメラプロセッサ１０４からストロボ回路１１４にストロボ発光信号を送信し、ストロボ回路１１４は、ストロボ発光部３を発光させ被写体を明るくする。
【００４１】
測距ユニット５は、カメラと被写体との距離を測る装置である。現在、デジタルカメラでは、撮像素子（ＣＣＤ）に形成された像のコントラストを検出し、最もコントラストの高い位置にレンズを移動させてフォーカスを合わせるＣＣＤ−ＡＦ方式が用いられている。しかし、ＣＣＤ−ＡＦ方式は、レンズを少しずつ動かしコントラストを探していくためフォーカス動作が遅いという問題があった。そこで、測距ユニット５を用いて被写体との距離情報を常に取得し、距離情報からレンズを一気に移動してフォーカス動作を高速化している。
【００４２】
鏡胴ユニット７は、被写体の光学画像を取り込むズームレンズ７０１と、ズーム駆動モータ７１１からなるズーム光学系７１１と、フォーカスレンズ７０２と、フォーカス駆動モータ７１２からなるフォーカス光学系７２と、絞り７０３と、絞りモータ７１３からなる絞りユニット７３と、メカシャッタ７０４と、メカシャッタモータ７１４からなるメカシャッタユニット７４と、各モータを駆動するモータドライバ７５０とを有する。そして、モータドライバ７５０は、リモコン受光部６入力や操作部Ｋｅｙユニット（ＳＷ１〜ＳＷ１３）の操作入力に基づく、後述するディジタルスチルカメラプロセッサ１０４内にあるＣＰＵブロック１０４３からの駆動指令により駆動制御される。ＲＯＭ１０８には、ＣＰＵブロック１０４３にて解読可能なコードで記述された、制御プログラムや制御するためのパラメータが格納されている。
【００４３】
このデジタルカメラの電源がオン状態になると、前記プログラムは不図示のメインメモリにロードされ、前記ＣＰＵブロック１０４３はそのプログラムに従って装置各部の動作を制御するとともに、制御に必要なデータ等を、一時的に、ＲＡＭ１０４、及び後述するディジタルスチルカメラプロセッサ１０４内にあるＬｏｃａｌ ＳＲＡＭ１０４４に保存する。ＲＯＭ１０８に書き換え可能なフラッシュＲＯＭを使用することで、制御プログラムや制御するためのパラメータを変更することが可能となり、機能のＶｅｒＵｐが容易に行える。
【００４４】
ＣＣＤ１０１は、光学画像を光電変換するための固体撮像素子であり、Ｆ／Ｅ（フロントエンド）−ＩＣ１０２は、画像ノイズ除去用相関二重サンプリングを行うＣＤＳ１０２１、利得調整を行うＡＧＣ１０２２、ディジタル信号変換を行うＡ／Ｄ１０２３）、ＣＣＤ１信号処理ブロック１０４１より、垂直同期信号（以下、ＶＤと記す。）、水平同期信号（以下、ＨＤと記す。）を供給され、ＣＰＵブロック１０４３によって制御されるＣＣＤ１０１、及びＦ／Ｅ−ＩＣ１０２の駆動タイミング信号を発生するＴＧ１０２４を有する。
【００４５】
ディジタルスチルカメラプロセッサ１０４は、ＣＣＤ１０１よりＦ／Ｅ−ＩＣ１０２の出力データにホワイトバランス設定やガンマ設定を行い、又、前述したように、ＶＤ信号、ＨＤ信号を供給するＣＣＤ１信号処理ブロック１０４１と、フィルタリング処理により、輝度データ・色差データへの変換を行うＣＣＤ２信号処理ブロック１０４２と、前述した装置各部の動作を制御するＣＰＵブロック１０４３と、前述した制御に必要なデータ等を、一時的に、保存するＬｏｃａｌ ＳＲＡＭ１０４４と、パソコンなどの外部機器とＵＳＢ通信を行うＵＳＢブロック１０４５と、パソコンなどの外部機器とシリアル通信を行うシリアルブロック１０４６と、ＪＰＥＧ圧縮・伸張を行うＪＰＥＧ ＣＯＤＥＣブロック１０４７と、画像データのサイズを補間処理により拡大／縮小するＲＥＳＩＺＥブロック１０４８と、画像データを液晶モニタやＴＶなどの外部表示機器に表示するためのビデオ信号に変換するＴＶ信号表示ブロック１０４９と、撮影された画像データを記録するメモリカードの制御を行うメモリカードコントローラブロック１０４０とを有する。
【００４６】
ＳＤＲＡＭ１０３は、前述したディジタルスチルカメラプロセッサ１０４で画像データに各種処理を施す際に、画像データを一時的に保存する。保存される画像データは、例えば、ＣＣＤ１０１から、Ｆ／Ｅ−ＩＣ１０２を経由して取りこんで、ＣＣＤ１信号処理ブロック１０４１でホワイトバランス設定、ガンマ設定が行われた状態の「ＲＡＷ−ＲＧＢ画像データ」やＣＣＤ２信号処理ブロック１０４２で輝度データ・色差データ変換が行われた状態の「ＹＵＶ画像データ」、ＪＰＥＧ ＣＯＤＥＣブロック１０４７で、ＪＰＥＧ圧縮された「ＪＰＥＧ画像データ」などである。
【００４７】
メモリカードスロットル１２１は、着脱可能なメモリカードを装着するためのスロットルである。内蔵メモリ１２０は、前述したメモリカードスロットル１２１にメモリカードが装着されていない場合でも、撮影した画像データを記憶できるようにするためのメモリである。ＬＣＤドライバ１１７は、後述するＬＣＤモニタ１０に駆動するドライブ回路であり、ＴＶ信号表示ブロック１０４９から出力されたビデオ信号を、ＬＣＤモニタ１０に表示するための信号に変換する機能も有している。
【００４８】
ＬＣＤモニタ１０は、撮影前に被写体の状態を監視する、撮影した画像を確認する、メモリカードや前述した内臓メモリ１２０に記録した画像データを表示する、などを行うためのモニタである。ビデオＡＭＰ１１８は、ＴＶ信号表示ブロック１０４９から出力されたビデオ信号を、７５Ωインピーダンス変換するためのアンプであり、ビデオジャック１１９は、ＴＶなどの外部表示機器と接続するためのジャックである。
【００４９】
ＵＳＢコネクタ１２２は、パソコンなどの外部機器とＵＳＢ接続を行う為のコネクタである。シリアルドライバ回路１２３１は、パソコンなどの外部機器とシリアル通信を行うために、前述したシリアルブロック１０４６の出力信号を電圧変換するための回路であり、ＲＳ−２３２Ｃコネクタは、パソコンなどの外部機器とシリアル接続を行う為のコネクタである。
【００５０】
ＳＵＢ−ＣＰＵ１０９は、ＲＯＭ・ＲＡＭをワンチップに内臓したＣＰＵであり、操作Ｋｅｙユニット（ＳＷ１〜１３）やリモコン受光部６の出力信号をユーザの操作情報として、前述したＣＰＵブロック１０４３に出力したり、前述したＣＰＵブロック１０４３より出力されるカメラの状態を、後述するサブＬＣＤ１、ＡＦ ＬＥＤ８、ストロボＬＥＤ９、ブザー１１３の制御信号に変換して、出力する。サブＬＣＤ１は、例えば、撮影可能枚数など表示するための表示部であり、ＬＣＤドライバ１１１は、前述したＳＵＢ−ＣＰＵ１０９の出力信号より、前述したサブＬＣＤ１を駆動するためのドライブ回路である。
【００５１】
ＡＦ ＬＥＤ８は、撮影時の合焦状態を表示するためのＬＥＤであり、ストロボＬＥＤ９は、ストロボ充電状態を表すためのＬＥＤである。尚、このＡＦ ＬＥＤ８とストロボＬＥＤ９を、メモリカードアクセス中などの別の表示用途に使用しても良い。操作Ｋｅｙユニット（ＳＷ１〜１３）は、ユーザが操作するＫｅｙ回路であり、リモコン受光部６は、ユーザが操作したリモコン送信機の信号の受信部である。
【００５２】
音声記録ユニット１１５は、ユーザが音声信号を入力するマイク１１５３、入力された音声信号を増幅するマイクＡＭＰ１１５２、増幅された音声信号を記録する音声記録回路１１５３からなる。音声再生ユニット１１６は、記録された音声信号をスピーカーから出力できる信号に変換する音声再生回路１１６１、変換された音声信号を増幅し、スピーカーを駆動するためのオーディオＡＭＰ１１６２、音声信号を出力するスピーカー１１６３からなる。
【００５３】
本実施形態では、上述のように構成されたデジタルカメラの画像処理について図４から図８と図１５を用いて説明する。図４は、本実施形態のデジタルカメラの基本的な画像処理フローチャートを示す。図５は、本実施形態におけるデジタルカメラのガンマ補正処理のグラフを示し、（ａ）は、ガンマ補正曲線の一例を示し、（ｂ）は、出力装置の特性を示す。図６は、本実施形態におけるデジタルカメラのＣＣＤベイヤー配列を示す。図７は、本実施形態におけるデジタルカメラの色補正処理の説明を示す。図８は、本実施形態におけるデジタルカメラのエッジ強調処理の説明を示す。図１５は、本実施形態におけるデジタルカメラのフィルタについての説明を示し、（ａ）は、ＬＰＦ例（３×３フィルタ）を示し、（ｂ）は、エッジ抽出フィルタ例（５×５フィルタ）を示す。
【００５４】
＜画像処理の流れ＞
図４に示す画像処理は、図３のＣＣＤ１信号処理ブロック及びＣＣＤ２信号処理ブロック内に含まれる。ＣＣＤから出力される信号を１画素毎にサンプリングしＡ／Ｄ変換したものを画像処理されていない段階であるため一般的にＲＡＷデータと呼び、画像処理部に入力するデータはこのＲＡＷデータである。図４に示すように、このＲＡＷデータに様々な処理を施す。その処理について次に詳細に説明する。
【００５５】
＜ホワイトバランス(ＷＢ)処理＞
被写体からの光量を蓄積するＣＣＤのフォトダイオード上には１画素１画素にＲＥＤ、ＧＲＥＥＮ、ＢＬＵＥのいずれか１色のカラーフィルタが貼付されているが、フィルタの色によって透過する光量が変わってくるためフォトダイオードに蓄積される電荷量が異なっている。最も感度が高いのはＧＲＥＥＮで、ＲＥＤとＢＬＵＥはＧＲＥＥＮと比較すると感度が低く約半分程度である。ホワイトバランス（ＷＢ）処理では、これらの感度差を補い、撮影画像の中の白色を白く見せるために、ＲとＢにゲインを掛ける処理を行う。また、物の色は光源色（例えば、太陽光、蛍光灯など）によって変わってくるため、光源が変わっても白色を白く見せるようにＲとＢのゲインを変更し、制御する機能を有している。
【００５６】
＜ガンマ（γ）補正処理＞
図５（ａ）はγ補正の曲線の一例を示すものである。横軸に入力信号、縦軸に出力信号を示しており、非線形な入出力変換を行う。一般的にＬＣＤやＣＲＴなどの出力装置では、図５（ｂ）に示すように入力に対して出力は非線形な特性で出力される。このような非線形な出力の場合、明るさに階調性がなく、また画像が暗くなるため人は正しく画像を見ることができない。そこで、出力装置の特性を考慮して、出力が線形性を保つように予め入力信号に処理を行うのがガンマ補正処理である。
【００５７】
＜補間処理＞
図６に示すようにＣＣＤではベイヤー配列と呼ばれる配列で、１画素にＲＥＤ、ＧＲＥＥＮ、ＢＬＵＥのいずれか１色のカラーフィルタが貼付されており、ＲＡＷデータは１画素に１色の情報しかない。しかし、ＲＡＷデータから画像として見るためには、１画素にＲＥＤ、ＧＲＥＥＮ、ＢＬＵＥの３色の情報が必要であり、足りない２色を補うために周辺の画素から補間する補間処理を行う。
【００５８】
＜ＹＵＶ変換処理＞
ＲＡＷデータの段階では、ＲＥＤ、ＧＲＥＥＮ、ＢＬＵＥの３色によるＲＧＢデータ形式であるが、ＹＵＶ変換では輝度信号Ｙと色差信号ＵＶのＹＵＶデータ形式に変換を行う。デジタルカメラ等で一般的に用いられるファイル形式のＪＰＥＧ画像では、ＹＵＶデータから画像が作成されるため、ＲＧＢデータをＹＵＶデータに変換する。変換式は、以下の通りである。
Ｙ  ＝  ０．２９９ｘＲ  ＋  ０．５８７ｘＧ  ＋  ０．１１４ｘＢ
Ｕ  ＝  ０．７０１ｘＲ  −  ０．５８７ｘＧ  −  ０．１１４ｘＢ
Ｖ  ＝  −０．２９９ｘＲ  −  ０．５８７ｘＧ  ＋  ０．８８６ｘＢ
【００５９】
＜色補正処理＞
色補正では、彩度設定、色相設定、部分的な色相変更設定、色抑圧設定などある。彩度設定は色の濃さを決定するパラメータ設定であり、図７はＵＶ色空間を示すものであるが、例えば、第２象限でＲＥＤの色に対して原点からＲＥＤのドットまでのベクトルの長さが長い程色の濃さは濃くなる。次に色相設定では、色合いを決定するパラメータである。例えば、図７の第３象限でＧＲＥＥＮの色に対してベクトルの長さが同じであってもベクトルの向きが異なると色合いは変わってくる。
【００６０】
部分的な色相変更設定では、図７の第４象限に示すように部分的な色領域を回転させる設定である。彩度が強いと色が濃くなる一方で色ノイズが強くなる傾向にある。そこで色抑圧設定では、例えば輝度信号に対してしきい値を設け、しきい値よりも低い又は高い領域に対して彩度を抑えることにより色ノイズを抑える制御を行う。
【００６１】
＜エッジ強調処理＞
エッジ強調処理とは、図８に示すように画像の輝度（Ｙ）信号からエッジ部分を抽出するエッジ抽出フィルタ１５と、エッジ抽出フィルタ１５により抽出されたエッジに対してゲインを掛けるゲイン乗算部１６と、エッジ抽出と並行して画像のノイズを除去するＬＰＦ（ローパスフィルタ）１７と、ゲイン乗算後のエッジ抽出データとＬＰＦ処理後の画像データを加算するデータ加算部１８からなる。
【００６２】
エッジ抽出フィルタ１５およびＬＰＦ１７は、図１５に示すように３×３や５×５のフィルタであり、エッジ抽出フィルタ１５はフィルタ係数の合計が０となり、ＬＰＦ１７はフィルタ係数の合計が１となるのが特徴である。エッジ抽出フィルタ１５のフィルタ係数によりエッジの検出方向やエッジの抽出量が変わるため重要なパラメータである。ＬＰＦ１７のフィルタ係数では、周辺画素と注目画素の平均により画像を平滑化させてノイズを減らしているが、ＬＰＦ１７を強く掛けるとノイズは少なくなる一方で、平滑化により細かな部分が潰れてしまい解像度が失われる傾向にある。
【００６３】
ゲイン乗算部１６では、エッジ抽出フィルタ１５により抽出されたエッジに対しゲインを乗算してエッジ量を調整する機能がある。ゲインが大きい場合にはエッジが強くなり、ゲインが小さい場合にはエッジが弱くなる。また、エッジ量にリミットを設けて、ゲイン乗算によりエッジ量が大きくなりエッジ量がリミットに達した場合にはエッジ量をクリップする機能もゲイン乗算部１６に有する。
【００６４】
データ加算部１８では、エッジ抽出フィルタ１５により抽出されゲインを乗算されたエッジ成分と、ＬＰＦ１７によりノイズ除去されたベース画像成分とを加算する機能を有する。また、加算時にはエッジ成分とベース画像成分の加算比率を変更できる機能を有する。これにより、エッジ成分の加算比率によりエッジ強調レベルを変更することができる。
【００６５】
＜その他の処理＞
画像処理には、その他に保存する画像サイズに変更するリサイズ処理、情報量を圧縮するＪＰＥＧ圧縮処理などがある。
【００６６】
上述のような画像処理ブロックを持つデジタルカメラについて、本発明の好適な実施形態を具体的に説明する。
【００６７】
＜具体的な実施形態１＞
本実施形態のデジタルカメラの具体的な実施形態について図９、図１０、図１１を用いて説明する。図９は、本実施形態のデジタルカメラの第１フローチャートを示す。図１０は、本実施形態のデジタルカメラの画像処理ブロック選択の一例を示す。図１１は、本実施形態におけるデジタルカメラの画像処理パラメータを示す図であり、（ａ）は、画像処理パラメータ変更範囲を示す。（ｂ）は、画像処理パラメータ設定の一例を示す。
【００６８】
まず最初に、ユーザは画像データの画像処理を連続的に変更するモード（以下、連続画像処理モード）を選択する（ステップＳ２０１）。連続画像処理モードの選択は、専用の選択スイッチをハード的に設けてもよいし、ソフト的にカメラのメニューの中からモード選択するようにしてもよい。連続画像処理モードが選択されると、次に幾つかある画像処理ブロックの中で、どの画像処理の画像処理パラメータを変更するかの選択を行う（ステップＳ２０２）。選択には、例えば図１０のようにＯＳＤ（On the Screen Design）でＬＣＤ上に選択する画像処理ブロック名を表示し、操作キーでユーザにより選択できるようにする。この場合、図１０では色補正の画像処理ブロックが選択された。
【００６９】
次に、画像処理を変更して画像処理を行うときに何枚の画像を生成するか（何通りの画像処理の異なる画像を生成するか）を選択する（ステップＳ２０３）。これにより、画像生成される枚数が決定する。画像生成枚数の選択には、図９と同様にＬＣＤ上に生成枚数を表示して操作キーで選択してもよいし、操作キーで直接数字を入力するようにしてもよい。次に、画像処理を行う画像データの選択を行うが、カメラ撮影による画像データを使用する場合はＲＡＷデータの状態で一旦ＳＤＲＡＭに画像を記録しておき、その画像データを使用する。予め撮影したＲＡＷデータを使用する場合には、記録メディアかあるいは内蔵メモリに格納しておき、画像データ選択では、それらの画像データのファイル名を表示し操作キーを用いてユーザはファイルを選択する。ファイルが選択されると、デジタルカメラは、画像データをＳＤＲＡＭにロードする（ステップＳ２０４）。
【００７０】
次に、画像データのロード時に撮影シーン或いは、ＩＳＯ感度の情報を読み出す（ステップＳ２０５）。この時、画像データには、撮影シーンやＩＳＯ感度の情報が予め画像ヘッダ部分に記録されているとする。
【００７１】
撮影シーンについては、デジタルカメラにあるシーンモードなどでユーザが選択したシーンの情報を使用する。ＩＳＯ感度については、撮影時のＩＳＯ感度情報を画像ヘッダ部分に記録しておく。
【００７２】
次に、撮影シーンやＩＳＯ感度情報から、画像処理パラメータ値の変更範囲を決定する（ステップＳ２０６）。図１１（ａ）は、ある画像処理ブロックの画像処理パラメータの可変範囲に対して、シーンモード（撮影シーン）に応じて画像処理パラメータの変更範囲を制限していることを示すものである。例えば、ポートレート撮影で顔などにエッジ強調を強く掛けたり、ＩＳＯ感度の高いノイズの多い画像に強いエッジ強調を掛けたりといった処理は通常行わない。画像処理パラメータの可変範囲全てで画像処理を行うと、このような通常想定しない画像処理も行うことなり、必要としない画像が生成されるだけでなく、処理時間も掛かってしまう。よって、撮影シーンやＩＳＯ感度に応じて画像処理パラメータの変更範囲を制限するのは、不要な画像生成の回避と処理の効率化を目的としている。
【００７３】
次に、画像処理パラメータ設定を行う（ステップＳ２０７）。画像処理パラメータ設定では、前ブロックにて決定した画像処理パラメータ変更範囲と画像生成枚数から、１枚ごとに画像処理パラメータを等間隔ステップで変更して設定する。例えば、画像生成枚数が７枚のときは、画像処理パラメータ変更範囲を図１１（ｂ）のように６等分し、１枚目はポイント１の画像処理パラメータを設定し、２枚目ではポイント２の画像処理パラメータを、ｎ枚目（ｎは整数）はポイントｎの画像処理パラメータを設定するというように、画像処理パラメータを設定する。そして設定された画像処理パラメータで画像処理を実行する（ステップＳ２０８）。その後、画像生成枚数終了したかどうか判断する（ステップＳ２０９）。画像生成枚数が終了していない場合（ステップＳ２０９／ＮＯ）、画像生成枚数まで画像処理パラメータを変更しながら画像処理を繰り返し、生成した画像はＳＤＲＡＭ又は記録メディア、内蔵メモリに一時的なファイルとして保存する。
【００７４】
所定の画像生成枚数を終了したら（ステップＳ２０９／ＹＥＳ）、生成された画像に対して、ユーザは再生画面で画像を確認し、好みの画像を操作キーを使って１枚だけ選択する（ステップＳ２１０）。選択された画像については記録メディアに保存し（ステップＳ２１１）、それ以外の画像についてはＳＤＲＡＭ、記録メディア、内蔵メモリから消去する（ステップＳ２１２）。
【００７５】
＜具体的な実施形態２＞
次に、本実施形態のデジタルカメラを使用した具体的な第２の実施形態について図１２を用いて説明する。図１２は、本実施形態のデジタルカメラの具体的な第２の実施形態を示す。
【００７６】
実施形態１の場合、生成した画像をメモリに全て保存しており、大量のメモリ容量を必要とし効率的とは言えない。そこで本実施形態では、メモリを効率的に使用しユーザが画像を容易に選択できる方法を提案する。
【００７７】
実施形態１と同じく、ユーザにより、連続画像処理モードを選択されると（ステップＳ３０１）、次に幾つかある画像処理ブロックの中で、どの画像処理の画像処理パラメータを変更するかの選択を行う（ステップＳ３０２）。次に、画像処理を変更して画像処理を行うときに何枚の画像を生成するかの画像生成枚数を選択する（ステップＳ３０３）。画像データ選択では、それらの画像データのファイル名を表示し操作キーを用いてユーザは画像データ選択と取り込みを行う（ステップＳ３０４）。次に、画像データのロード時に撮影シーン或いは、ＩＳＯ感度の情報を読み出す、撮影シーン判別／ＩＳＯ感度判別を行う（ステップＳ３０５）。次に、撮影シーンやＩＳＯ感度情報から、画像処理パラメータ値の変更範囲を決定する（ステップＳ３０６）。次に、画像処理パラメータ設定を行う（ステップＳ３０７）。その後、設定された画像処理パラメータで画像処理を実行する（ステップＳ３０８）。そして、画像縮小処理を行なう（ステップＳ３０９）。その後、画像生成枚数終了したかどうか判断する（ステップＳ３１０）。画像生成枚数が終了していない場合（ステップＳ３１０／ＮＯ）、画像生成枚数まで画像処理パラメータを変更しながら画像処理を繰り返し、生成した画像はＳＤＲＡＭ又は記録メディア、内蔵メモリに一時的なファイルとして保存する。
【００７８】
所定の画像生成枚数分の処理を終了したら（ステップＳ３１０／ＹＥＳ）、生成された画像に１枚化処理を施す（ステップＳ３１１）。その後、ユーザが画像選択を行う（ステップＳ３１２）。選択された画像については記録メディアに保存し（ステップＳ３１３）、それ以外の画像についてはＳＤＲＡＭ、記録メディア、内蔵メモリから消去する（ステップＳ３１４）。
【００７９】
画像処理パラメータを変更した場合に、その変化を確認するのにフルサイズの画像を保持しておく必要はない。特に、色調や階調特性では画像サイズを縮小させてもユーザはその違いを認識することは可能である。
【００８０】
そこで本実施形態では画像サイズを縮小させ、さらに生成した画像を１枚の画像にすることを特徴とする。上述したように、もしくは図に示すように、図１２に示す本実施形態の第２のフローは、図９に示す実施形態１の第１のフローから、画像処理実行後に画像縮小処理と、生成画像の１枚化処理とが追加されている。
【００８１】
画像縮小処理では、例えば６００万画素サイズの画像であってもＶＧＡサイズ（６４０×４８０）程度まで水平及び垂直の画素を間引いて画像サイズを縮小し、縮小した画像をＳＤＲＡＭに記録する。
【００８２】
＜複数画像を１枚にする方法＞
複数画像枚数を１枚にする方法を図１３を用いて説明する。図１３は、本実施形態におけるデジタルカメラの複数画像を一枚にする例を示し、（ａ）は、横方向に順次する例を示し、（ｂ）は、縦方向に順次する例を示す。
【００８３】
生成画像の１枚化処理では、ＶＧＡサイズに縮小された画像を図１３に示すように水平方向と垂直方向に並べてつなぎ合わせて１枚の画像にする。画像を並べる順序は図１３（ａ）のように横方向に順番に並べてもよいし、図１３（ｂ）のように縦方向に順番に並べてもよい。図１３では１６枚の画像を１枚としているが、その他にも４枚、９枚、２５枚など画像縮小のサイズを変更することにより組み合わせは無数にあり、画像生成枚数選択時に何枚の画像を用いて１枚にするかを選択するステップを設けてもよい。また、画像処理により生成した画像枚数では１枚の画像を生成するのに足りない場合であっても足りない部分はグレー画像などダミーの画像を配置して画像を生成する。
【００８４】
＜それぞれの画像の拡大方法＞
それぞれの画像の拡大方法を図１４を用いて説明する、図１４は、本実施形態におけるデジタルカメラの画像選択と画像拡大の一例を示し、（ａ）は、画像選択を示し、（ｂ）は、画像拡大を示す。
【００８５】
画像処理パラメータの異なる複数枚の画像を１枚の画像にすることにより、ユーザは画像処理の異なる複数枚の画像を一目で確認することができ、画像処理の違いを比較することも可能となる。さらに、図１４（ａ）のように画像選択の矩形エリアを設けて操作キーで矩形エリアを移動できるようにし、図１４（ｂ）のように矩形エリアにより選択した画像を拡大するように制御を行ってもよい。拡大することにより、画像の細部を確認することが可能となる。
【００８６】
＜画像の選択方法＞
ユーザの好みの画像処理画像の選択方法は、複数枚の画像を１枚にして表示した状態からユーザは操作キーを用いて矩形エリアを移動させ、好みの画像処理の画像の部分で同じく操作キーの決定ボタンを使用して決定をする。画像が決定されると、カメラは決定したパラメータで画像データを再度画像処理しフルサイズでの画像を作成する。また、画像選択用に表示していた複数枚の画像を１枚にした画像を保存するか、消去するかについてはユーザが選択にするとよい。保存を選択した場合は記録メディアに保存し、消去を選択した場合はＳＤＲＡＭ、記録メディア、内蔵メモリから消去する。
【００８７】
＜パラメータの統計＞
ユーザが選択する好みの画像処理の画像は、その人の趣向であり人それぞれであるが、同一人物であれば選択する画像の傾向は大きく変わることはない。よって、ユーザが選択する画像の傾向を把握すれば、そのユーザが好みの画像処理を常にカメラは提供することが可能となる。本実施形態では、画像を選択する傾向の把握をユーザが選択する画像の統計を取ることで実現する。
【００８８】
＜具体的な統計の取り方＞
具体的な統計の取り方は、例えば、１６枚の画像処理の異なる画像からユーザが選択した画像処理の回数の統計をとる。更に統計の結果を利用して、選択頻度の高いものから画像を並び替えてユーザに選択させるようにしてもよいし、全く選択されないものはある所定の回数選択されなかった場合、選択候補から除外するようにしてもよい。
【００８９】
＜撮影シーン、ＩＳＯ感度ごとの統計＞
良い画像を得るには撮影シーンやＩＳＯ感度に応じて画像処理を変えることが必要であり、最近のカメラではシーンモードと称して撮影シーンをユーザに選択させて撮影させたり、ＩＳＯ感度選択でＩＳＯ感度を固定にした状態で撮影させたりして画像処理を変えているものが多くある。例えば、シーンモードでは、風景ではより解像感を出すためにエッジ強調を強めたり、ポートレートでは肌の荒れを目立たなくするために下地のノイズを潰してエッジ強調を弱めたり、ＩＳＯ感度では、高感度になるにつれてエッジ強調を弱めてノイズを目立たなくしたりと画像処理を変更している。
【００９０】
統計の取り方として、撮影条件など関係なくユーザが選択する画像処理の統計をそのまま取得してもよいが、撮影シーンやＩＳＯ感度など画像処理の変更が必要である条件ごとに細かく統計を取ることで、よりユーザが望む画像を得ることが可能となる。撮影シーンでは、ユーザが予めシーンモードで撮影シーンを選択し、その情報を画像データのヘッダ部分に情報として持たせておいてもよいし、フォーカス位置やフラッシュのオン／オフ、肌色検出や葉っぱの緑色検出など以下詳細は略すが、シーン判別機能を利用してシーンを判別しシーン毎に統計を取得する。そして、次回の同様のシーンでの撮影時に統計結果をヒストグラムなどでアドバイス的に表示したりすると撮影時の画像処理技術が向上する。ＩＳＯ感度では、撮影時のＩＳＯ感度情報を画像データのヘッダ部分に記録しておき、その情報を利用すればよい。
【００９１】
＜ユーザごとの統計＞
カメラは１人で使う場合もあれば、複数の人数で使用する場合もあり、ユーザが異なれば趣向も変わってくるため、上記の統計取得はユーザ毎に個別に取得する。現在どのユーザが使用しているかは、カメラ起動時にユーザ選択画面を表示してユーザにカメラ使用者を選択させたり、あるいは人物を判定する機能をカメラに持たせ、カメラが今誰が使用しているかを認識させる方法でもよい。人物を判定する機能とは、例えば、予め使用する人をカメラに登録しておき、指紋認識装置や使用者の顔を撮影して顔の特徴で認識する顔認識により使用者を特定する機能である。カメラは起動時に使用者を認識すると、特定した使用者で統計を開始する。カメラ駆動時に取得した統計データは、カメラの電源オフ時に内蔵メモリなどに格納し、次回同一の使用者がカメラを使用するときに引き続き統計を再開できるようにする。これにより、カメラを使用すれば使用するほど、ユーザの好みを的確に反映した画像を取得することができるようになる。また、他のユーザとの統計の違いなども表示できるようにすると、自分と他人との趣向の違いを認識することも可能となる。
【００９２】
従来はＲＡＷデータを現像する場合、パソコンが必要なだけでなくパソコンにデータを取り込む必要があり手間であったが、本実施形態によって、撮影したカメラで撮ったその場で画像処理パラメータを変更してＲＡＷデータ現像ができるだけでなく、画像処理の異なる複数枚の画像を１枚にすることで簡単に画像選択ができ、ユーザの好みの画像を選択することが可能である。さらに、選択した画像以外の画像を保存しないことで、記録メディアに同じ構図の画像が大量に保存され、記録メディアの残容量が足りなくなる心配も発生しない。
【図面の簡単な説明】
【００９３】
【図１】本実施形態におけるデジタルカメラの斜視図である。
【図２】本実施形態におけるデジタルカメラの概観図である。
【図３】本実施形態におけるデジタルカメラの内部構造を示すブロック図である。
【図４】本実施形態におけるデジタルカメラの基本的な画像処理のフローチャート図である。
【図５】本実施形態におけるデジタルカメラのガンマ補正処理のグラフである。（ａ）は、ガンマ補正曲線の一例を示し、（ｂ）は、出力装置の特性を示す。
【図６】本実施形態におけるデジタルカメラのＣＣＤベイヤー配列を示す図である。
【図７】本実施形態におけるデジタルカメラの色補正処理の説明を示す図である。
【図８】本実施形態におけるデジタルカメラのエッジ強調処理の説明を示す図である。
【図９】本実施形態におけるデジタルカメラの画像処理の第１フローチャート図である。
【図１０】本実施形態におけるデジタルカメラの画像処理ブロック選択の一例を示す図である。
【図１１】本実施形態におけるデジタルカメラの画像処理パラメータを示す図であり、（ａ）は、画像処理パラメータ変更範囲を示す図である。（ｂ）は、画像処理パラメータ設定の一例を示す図である。
【図１２】本実施形態におけるデジタルカメラの画像処理の第２フローチャート図である。
【図１３】本実施形態におけるデジタルカメラの複数画像を一枚にする例を示す図である。（ａ）は、横方向に順次する例を示し、（ｂ）は、縦方向に順次する例を示す。
【図１４】本実施形態におけるデジタルカメラの画像選択と画像拡大の一例を示す図である。（ａ）は、画像選択を示し、（ｂ）は、画像拡大を示す。
【図１５】本実施形態におけるデジタルカメラのフィルタの説明を示す図であり、（ａ）は、ＬＰＦ例を示し、（ｂ）は、エッジ抽出フィルタ例を示す。
【符号の説明】
【００９４】
１    サブＬＣＤ
２    レリーズボタン
３    ストロボ発光部
４    再生切り替えダイアル
５    測距ユニット
６    リモコン受光部
７    鏡胴ユニット
８    ＡＦＬＥＤ
９    ストロボＬＥＤ
１０    ＬＣＤモニタ
１１    光学ファインダ
１２    ズームボタン
１３    電源スイッチ
１４    操作部
１５    エッジ抽出フィルタ
１６    ゲイン乗算部
１７    ＬＰＦ
１８    データ加算部
【図１】
2008109305.tif 000003
【図２】
2008109305.tif 000004
【図３】
2008109305.tif 000005
【図４】
2008109305.tif 000006
【図５】
2008109305.tif 000007
【図６】
2008109305.tif 000008
【図７】
2008109305.tif 000009
【図８】
2008109305.tif 000010
【図９】
2008109305.tif 000011
【図１０】
2008109305.tif 000012
【図１１】
2008109305.tif 000013
【図１２】
2008109305.tif 000014
【図１３】
2008109305.tif 000015
【図１４】
2008109305.tif 000016
【図１５】
2008109305.tif 000017